(57)【要約】【課題】  ＡＣコードのブッシュ位置を可動にして実装箇所からの公差をＡＣコード単体で吸収でき、基板上で安全対策部品との接触を防げ、１本のＡＣコードだけでよく、色々な長さのＡＣコードを必要とせず安価であり、作業工数を削減できる。【解決手段】  ＡＣコード１が基板３に接続され、筐体２の壁部の取り付け凹部２ａにブッシュ４が嵌め入れられて基板に実装された安全対策部品９に接触することを防ぐようにし、ブッシュがＡＣコードに対して移動可能に構成され、ブッシュに、ＡＣコードの基板への取り付け部分から筐体の取り付け凹部までの長さが調整されてからＡＣコードに固定するためのロック機構５が設けられ、ロック機構は、ブッシュ本体４ａの側部に一体に形成された固定用筒状部６と、固定用筒状部に螺入された蝶ネジ７とで構成され、ＡＣコードの外面に適宜位置に凹凸部材８が固着されて蝶ネジの先端が凹凸部材の凹部に接する。【選択図】  図１
2008282565.tif 000002
【特許請求の範囲】
【請求項１】
基板に接続され、筐体の壁部に形成された取り付け凹部にブッシュが嵌め入れられて、基板に実装されたコンデンサやトランス等の安全対策部品に接触することを防ぐようにしたブッシュを有するＡＣコードにおいて、前記ブッシュが前記ＡＣコードに対して移動可能に構成され、前記ブッシュには、前記ＡＣコードの基板への取り付け部分から前記筐体の取り付け凹部までの長さが調整されてから前記ＡＣコードに固定するためのロック機構が設けられていることを特徴とするブッシュを有するＡＣコード。
【請求項２】
前記ロック機構は、ブッシュ本体の側部に一体に形成された固定用筒状部と、この固定用筒状部に螺入されて前記ＡＣコードの表面に先端が当接して前記ブッシュの移動を阻止するための蝶ネジとで構成されている請求項１に記載のブッシュを有するＡＣコード。
【請求項３】
前記ＡＣコードの外面には適宜位置に凹凸部材が固着されていて、前記蝶ネジの先端が前記凹凸部材の凹部に接して前記ＡＣコードの表面に前記蝶ネジの先端が接しないようにした請求項２に記載のブッシュを有するＡＣコード。
【請求項４】
前記ブッシュ本体と前記固定用筒状部との外側に伸縮可能な蛇腹状筒状部が一体にそれぞれ設けられている請求項２に記載のブッシュを有するＡＣコード。
【発明の詳細な説明】
【技術分野】
【０００１】
本発明は、基板に接続され、筐体の壁部に形成された取り付け凹部にブッシュが嵌め入れられて、基板に実装されたコンデンサやトランス等の安全対策部品に接触することを防ぐようにしたブッシュを有するＡＣコードに関するものである。
【背景技術】
【０００２】
従来、ブッシュを有するＡＣコードは、基板に接続された部分から筐体の壁部に設けられた取り付け凹部にブッシュが嵌め入れられた部分までの長さが一定ではなく、この長さが長すぎた場合には、このＡＣコードが基板に実装されたコンデンサやトランス等の安全対策部品に接触する虞があるという問題があった。
【０００３】
第１の従来技術を図４（ａ）（ｂ）（ｃ）に示す。この従来のＡＣコードの接続構造は、図４（ａ）（ｂ）（ｃ）に示すように、コンセント付きＡＣコード１０１の端部にプラグ差込み用ブッシュ１０２を設け、複数の適宜長さの長さ調整接続用ＡＣコード１１０の先端にブッシュ１０２に差込み可能なプラグ１１１を設け、後端にプラグ差込み用のブッシュ１１２を設け、端子１０７に接続する接続用ＡＣコード１０３の先端に長さ調整接続用ＡＣコード１１０のブッシュ１１２に差込み可能なプラグ１０４を設け、後端の剥き出し線１０３ａが露出されコンセント付きＡＣコード１０１のブッシュ１０２に長さ調整接続用ＡＣコード１１０のプラグ１１１が差し込まれ、長さ調整接続用ＡＣコード１１０のブッシュ１１２に接続用ＡＣコード１０３のプラグ１０４を接続してＡＣコード全体の長さを調整自在とした。（例えば、特許文献１参照）。
【０００４】
ところが、これにおいては、長さ調整接続用ＡＣコード１１０を数多く必要とするために部品点数が多くコスト高になるという問題があった。また、長さ調整接続用ＡＣコード１１０とコンセント付きＡＣコード１０１の接続作業を必要とするために作業工数が多いという問題があった。
【特許文献１】実用新案登録第３０８９００６号公報
【発明の開示】
【発明が解決しようとする課題】
【０００５】
本発明は、上記従来の問題に鑑みてなされたものであって、ＡＣコードのブッシュ位置を可動にすることによって、実装箇所からの公差をＡＣコード単体で吸収することができ、基板上でコンデンサやトランス等の安全対策部品と接触を防ぐことができ、１本のＡＣコードだけでよく、色々な長さのＡＣコードを数多く必要とせず安価であり、作業工数を削減することができるブッシュを有するＡＣコードを提供することを目的としている。
【課題を解決するための手段】
【０００６】
本発明は、上記課題を解決するために提案されたものであって、請求項１に記載の発明は、基板に接続され、筐体の壁部に形成された取り付け凹部にブッシュが嵌め入れられて、基板に実装されたコンデンサやトランス等の安全対策部品に接触することを防ぐようにしたブッシュを有するＡＣコードにおいて、前記ブッシュが前記ＡＣコードに対して移動可能に構成され、前記ブッシュには、前記ＡＣコードの基板への取り付け部分から前記筐体の取り付け凹部までの長さが調整されてから前記ＡＣコードに固定するためのロック機構が設けられていることを特徴としている。
【０００７】
請求項２に記載の発明は、請求項１に記載の発明において、前記ロック機構は、ブッシュ本体の側部に一体に形成された固定用筒状部と、この固定用筒状部に螺入されて前記ＡＣコードの表面に先端が当接して前記ブッシュの移動を阻止するための蝶ネジとで構成されている。
【０００８】
請求項３に記載の発明は、請求項２に記載の発明において、前記ＡＣコードの外面には適宜位置に凹凸部材が固着されていて、前記蝶ネジの先端が前記凹凸部材の凹部に接して前記ＡＣコードの表面に前記蝶ネジの先端が接しないようにした。
【０００９】
請求項４に記載の発明は、請求項２に記載の発明において、前記ブッシュ本体と前記固定用筒状部との外側に伸縮可能な蛇腹状筒状部が一体にそれぞれ設けられているものである。
【発明の効果】
【００１０】
請求項１に記載の発明によれば、ブッシュがＡＣコードに対して移動可能とされてロック機構で固定するようにしたから、ＡＣコードの基板への実装箇所からの公差をＡＣコードだけで吸収することができる。また、１本のＡＣコードだけでよく、色々な長さのＡＣコードを数多く必要としないから、安価であり、ＡＣコードの接続作業を必要としないことにより作業工数を削減することができる。また、ＡＣコードがコンデンサやトランス等の安全対策部品に接することを防ぐことができる。
【００１１】
請求項２に記載の発明によれば、ロック機構が、ブッシュ本体の側部に一体に形成された固定用筒状部とこの固定用筒状部に螺入されてＡＣコードの表面に先端が接してブッシュの移動を阻止する蝶ネジとで構成されているから、部品点数が少なく構造を簡単にでき、蝶ネジの先端でＡＣコードからブッシュが移動することを阻止することができるから、ＡＣコードの筐体内での長さが長くなることがなく、コンデンサやトランス等の安全対策部品に接することを確実に防ぐことができる。
【００１２】
請求項３に記載の発明によれば、ＡＣコードの外面の適宜位置に凹凸部材が固着されているから、蝶ネジの先端がＡＣコードに接することがないことによりＡＣコードが傷つくことがなく、安全性に優れている。
【００１３】
請求項４に記載の発明によれば、ブッシュ本体と固定用筒状部との外側に蛇腹状筒状部がそれぞれ一体に設けられているから、ロック機構によるロックが解除されているときにＡＣコードに対するブッシュの移動が行い易く、ブッシュをＡＣコードの最適な位置に移動することができ、また、ＡＣコードを折れにくくすることができる。
【発明を実施するための最良の形態】
【００１４】
以下、本発明に係るブッシュを有するＡＣコードの実施の形態について、図を参照しつつ説明する。
【００１５】
図１は本発明の第１実施形態のブッシュを有するＡＣコードを示し、（ａ）はその平面図、（ｂ）はその要部の断面図である。
【００１６】
この第１実施形態のブッシュを有するＡＣコードは、図１（ａ）に示すように、ＡＣコード１の端部が筐体２内に配置された基板３に半田付けで取り付け固定され、ＡＣコード１に嵌められたブッシュ４が筐体２に設けられた取り付け凹部２ａに嵌め入れられている。このブッシュ４には、ロック機構５が設けられてこのロック機構５によってブッシュ４がＡＣコード１の所定位置に固定されるように構成されている。このロック機構５は、図１（ｂ）に示すように、ブッシュ本体４ａの側部に一体に形成された固定用筒状部６と、この固定用筒状部６に螺入された蝶ネジ７とから構成されている。また、ＡＣコード１には適宜位置に凹凸部材８が固着されている。更に、図１（ａ）に示すように、基板３にはコンデンサやトランス等の安全対策部品９が実装され、ＡＣコード１の端部がこの安全対策部品９から離れた位置における基板３に半田付けで取り付け固定されている。
【００１７】
ロック機構５の蝶ネジ７を螺入してＡＣコード１に固着された凹凸部材８の凹部に当接するとＡＣコード１に対してブッシュ４が所定位置に固定されるように構成されている。このブッシュ４はＡＣコード１の基板３への取り付け部分から筐体２の取り付け凹部２ａまでの長さが調整されてから、ＡＣコード１にロック機構５で固定されるようになっており、このことにより、ＡＣコード１が基板３に実装された安全対策部品９に接しないようになっている。
【００１８】
従って、この第１実施形態によれば、ブッシュ４がＡＣコード１に対して移動可能とされてロック機構５で固定するようにしたから、ＡＣコード１の基板３への実装箇所からの公差をＡＣコード１だけで吸収することができる。また、１本のＡＣコード１だけでよく、色々な長さのＡＣコードを数多く必要としないから、安価であり、ＡＣコード１の接続作業を必要としないことにより作業工数を削減することができる。また、ＡＣコード１がコンデンサやトランス等の安全対策部品９に接することを防ぐことができる。更に、ＡＣコード１の外面の適宜位置に凹凸部材８が固着されているから、蝶ネジ７の先端がＡＣコード１に接することがないことによりＡＣコード１が傷つくことがなく、安全性に優れている。
【００１９】
図２は第２実施形態のブッシュを有するＡＣコードを示す平面図、図３は図２の要部の断面図である。尚、上記した第１実施形態と同一部材、同一箇所には、同一符号を付してその説明を省略する。
【００２０】
この第２実施形態のブッシュを有するＡＣコードは、図２、図３に示すように、ブッシュ本体４ａと固定用筒状部６との外側に伸縮可能な蛇腹状筒状部１０、１０が一体にそれぞれ設けられている。また、図３に示すように、ロック機構５の蝶ネジ７の先端は、ＡＣコード１の表面に先端が当接してブッシュ４の移動を阻止している。
【００２１】
従って、この第２実施形態によれば、ブッシュ本体４ａと固定用筒状部６との外側に蛇腹状筒状部１０、１０がそれぞれ一体に設けられているから、ロック機構５によるロックが解除されているときにＡＣコード１に対するブッシュ４の移動が行い易く、ブッシュ４をＡＣコード１の最適な位置に移動することができ、また、ＡＣコード１を折れにくくすることができる。
【図面の簡単な説明】
【００２２】
【図１】本発明の第１実施形態のブッシュを有するＡＣコードを示し、（ａ）はその平面図、（ｂ）はその要部の断面図である。
【図２】第２実施形態のブッシュを有するＡＣコードを示す平面図である。
【図３】図２の要部の断面図である。
【図４】従来のＡＣコードの接続構造を示し、（ａ）はそのＡＣコード全体の接続構造を示す縦断面図、（ｂ）はその接続用ＡＣコードを筐体内に配線した状態の平面横断面図、（ｃ）はその縦断面図である。
【符号の説明】
【００２３】
１      ＡＣコード
２      筐体
２ａ    取り付け凹部
３      基板
４      ブッシュ
４ａ    ブッシュ本体
５      ロック機構
６      固定用筒状部
７      蝶ネジ
８      凹凸部材
９      安全対策部品
１０    蛇腹状筒状部
【図１】
2008282565.tif 000003
【図２】
2008282565.tif 000004
【図３】
2008282565.tif 000005
【図４】
2008282565.tif 000006